(57)【特許請求の範囲】
【請求項１】
液晶表示パネルと、
前記液晶表示パネルを支持固定するパネルフレームと、
前記パネルフレームに設置され、且つ外側に放熱部材が一体成形された金属部材からなるバックライト収納ケースを有し、
前記放熱部材はフィン数の多い第１の放熱フィンと、前記第１の放熱フィンと離間して前記第１の放熱フィンよりフィン数の少ない第２の放熱フィンとが上下関係になるよう配置されていることを特徴とする液晶表示装置。
【請求項２】
前記フィン数の多い第１の放熱フィンと左右方向に離間して配置されたフィン数の多い第３の放熱フィンと、前記第３の放熱フィンよりフィン数の少ないと第４の放熱フィンとが上下関係になるよう配置されていることを特徴とする請求項１記載の液晶表示装置。
【請求項３】
前記第２の放熱フィンあるいは前記第４の放熱フィンの外側にインバータ基板が配置されていることを特徴とする請求項２に記載の液晶表示装置。
【請求項４】
前記第２の放熱フィンと前記第４の放熱フィンとの間に電源回路基板が配置されていることを特徴とする請求項２に記載の液晶表示装置。
【発明の詳細な説明】
【０００１】
【発明の属する技術分野】
本発明は、液晶表示装置に係わり、特に液晶表示装置を構成する筐体としてのバックライト収納ケースに放熱構造を一体的に備えた液晶表示装置に関するものである。
【０００２】
【従来の技術】
近年、ノート型コンピユータ（ノートパソコン）やディスプレイモニターあるいはテレビ受像機用の高精細，薄型，軽量かつカラー表示が可能な表示装置として液晶表示装置が広く採用されている。この種の液晶表示装置を構成する液晶表示パネルは、当該液晶表示パネルに形成される電子潜像を可視化するために外部から照明光を付与することが必要となる。
【０００３】
照明光の供給源としては、外光を利用するものと、液晶表示パネルの背面または前面に照明装置を配設した構造とがある。背面に設置する照明装置はバックライトと称し、前面に設置する照明装置はフロントライトと称している。ノートパソコンやディスプレイモニターあるいはテレビ受像機に用いられる液晶表示装置では、鮮明な画像表示を行うために背面から液晶表示パネルを均一に照明する直下方式によるバックライトを備えた構造が一般的である。
【０００４】
図５は、この種の直下方式によるバックライトを備えた液晶表示装置の一例を示す図であり、図５（ａ）は側面断面図，図５（ｂ）は概略平面図である。図５において、木材または樹脂材からなるケース１の正面側には、取付けフレーム２を介して液晶パネル３が固定配置されている。また、このケース１の内部には液晶パネル３の画像表示を鮮明にするために背後から照射光を照射するバックライト装置４が配置されている。
【０００５】
バックライト装置４の光源には、例えば管状の陰極蛍光管５が装置正面に向かって左右方向に伸びて配置されている。この陰極蛍光管５の背後には、光りが後方散乱して有効利用されなくなるのを防止する角錐形の反射体６が設けられている。さらにこの反射体６の前部拡大部と液晶パネル３との間に拡散板７が取付フレーム２を利用して取り付けられている。この拡散板７は陰極蛍光管５から放射する直接光や反射体６による反射光を拡散均一化してそこから射出された光を液晶パネル３に背後から照射するようになっている。
【０００６】
また、このケース１の内部の底部側には、液晶パネル３を駆動する複数種の駆動回路８，制御回路９，陰極蛍光管５の駆動電源回路１０等を搭載した回路基板１１がその取付け部材１２により固定配置され、図示しないが、回路基板１１と各液晶パネル３及び陰極蛍光管５とは図示しないが、ＦＰＣなどを介してそれぞれ電気的に接続されている。
【０００７】
また、ケース１の内部における陰極蛍光管５の発熱による内部温度の上昇を抑えるためにケース１に放熱部材を一体的に設けて陰極蛍光管５の発熱を熱媒体部材を介してケース１に伝熱させ、外部に放熱させる構造もある。さらに、液晶パネル３及びその偏光板の過熱を防止させるために液晶パネル３の取付けフレーム２に放熱部材を一体的に設けて空冷効果により熱損傷を防止させる構造もある。なお、この種の従来技術に関しては、例えば下記特許文献１及び特許文献２などを挙げることができる。
【０００８】
【特許文献１】
特開平８−２６２４４０号公報
【特許文献２】
特開２０００−１４７４７２号公報
【０００９】
【発明が解決しようとする課題】
しかしながら、このように構成される液晶表示装置は、陰極蛍光管５の発熱に伴なうケース１の内部での温度上昇に起因する陰極蛍光管５の発光効率の低下及び液晶パネル３及の偏光板への光照射による温度上昇に起因する液晶パネル３の発光輝度を低下させ、品質，信頼性を損なうという問題があった。
【００１０】
また、このように構成される液晶表示装置は、液晶表示装置の全体構成を包囲するケース１，液晶パネル３を支持固定する取付けフレーム２及び各種駆動回路からの発熱を放熱させる放熱部材などの各構成部材が例えばアルミニウム合金などを主原料とするダイカスト（鋳造）法により個々に製作しているので、放熱部材などの部品点数を増大させ、組立て工数の増大による製作コストを上昇させ、低コスト化の実現が不可能であった。
【００１１】
したがって、本発明は、前述した従来の課題を解決するためになされたものであり、その目的は、筐体と放熱部材とを一体成形により構成することにより部品点数の削減及び製作コストの削減並びに併せて機械的強度を確保させることができる液晶表示装置を提供することにある。
【００１２】
【課題を解決するための手段】
このような目的を達成するために本発明による液晶表示装置は、液晶表示パネルと、この液晶表示パネルを支持固定するパネルフレームと、液晶表示パネルの背面と対向する内部に複数の冷陰極蛍光ランプを有し、かつ外面に一体的に放熱部材を有してパネルフレームに設置された金属部材からなるバックライト収納ケースと、このバックライト収納ケースの外面に設置された液晶表示パネルの駆動回路基板と、バックライト収納ケースの外面に設置された冷陰極蛍光ランプのインバータ回路基板と、バックライト収納ケースの外面に設置された電源回路基板とを備え、放熱部材は、駆動回路基板，インバータ回路基板及び電源回路基板の設置されていないバックライト収納ケースの外面の空き領域に一体成形されて設置することにより、バックライト収納ケースの内部の温度上昇を低減させる。
【００１３】
上述した本発明の構成により、望ましくは、バックライト収納ケースは合金材をダイカスト法により一体成形された成型体とすることにより、構成部品点数を削減させて製作コストを削減させるとともに、バックライト収納ケースの剛性が確保される。
【００１４】
なお、本発明は、上記構成及び後述する各実施例の構成に限定されるものではなく、本発明の技術思想を逸脱することなく種々の変更が可能であることは言うまでもない。
【００１５】
【発明の実施の形態】
以下、本発明の実施の形態について、実施例の図面を参照して詳細に説明する。
図１は、本発明による液晶表示装置の一実施例による液晶テレビ受像機の外観を説明する要部平面図である。図１において、この液晶テレビ受像機は、筐体またはキャビネットに相当するバックライト収納ケースＢＬＣとこのバックライト収納ケースＢＬＣを支持するスタンドＳＴＤとで構成され、このバックライト収納ケースＢＬＣの前面側には表示部ＤＳＰが設けられている。この表示部ＤＳＰには、図２の展開斜視図で示すように比較的大きな対角方向寸法の画面を有する液晶表示パネルＰＮＬが断面Ｌ字状の枠状のパネルフレームＰＮＦに支持固定させた液晶表示装置が実装され、この液晶表示装置の画面となる液晶表示パネルＰＮＬの有効表示領域は表示部ＤＳＰに露呈される構造となっている。
【００１６】
また、図２に示すようにパネルフレームＰＮＦに支持固定されて実装された液晶表示パネルＰＮＬの背面側には、液晶表示パネルＰＮＬの主面に対向するように光源としての複数本の冷陰極蛍光ランプＣＦＬを並行に配列させて設置し、かつ内面側に図示しない光反射面を有するバックライト収納部ＢＬが形成されたバックライト収納ケースＢＬＣが設置されている。このバックライト収納ケースＢＬＣは、液晶表示パネルＰＮＬの背面から冷陰極蛍光ランプＣＦＬの照明光をバックライト収納部ＢＬの一部を構成する光反射面で反射させて液晶表示パネルＰＮＬの背面に投射する直下型（バックライト）構造となっている。
【００１７】
また、このバックライト収納ケースＢＬＣの背面（裏面）側には、図３に斜視図で示すように液晶表示パネルＰＮＬの各種動作を駆動させる電子回路部品ＩＣを搭載した駆動回路基板ＤＲＢ及び冷陰極蛍光ランプＣＦＬを点灯駆動させるインバータ回路基板ＩＮＢ１，ＩＮＢ２並びにこれらの駆動回路基板ＤＲＢ及びインバータ回路基板ＩＮＢ１，ＩＮＢ２に所要の高電圧を供給する電源回路基板ＰＳＢ等がそれぞれ駆動部品搭載面側を外面に向けて露出させ、図示しないが、絶縁体を介して取付け固定されて設置されている。これらの駆動回路基板ＤＲＢ及びインバータ回路基板ＩＮＢ１，ＩＮＢ２は、それぞれ対応する液晶表示パネルＰＮＬ及び冷陰極蛍光ランプＣＦＬに対してバックライト収納ケースＢＬＣの内部で図示しないフレキシブルプリント基板または配線などにより電気的に接続される構造となっている。
【００１８】
さらに、このバックライト収納ケースＢＬＣの背面には、上述した駆動回路基板ＤＲＢ，インバータ回路基板ＩＮＢ１，インバータ回路基板ＩＮＢ２，電源回路基板ＰＳＢなどが設置されていない相互間の空き領域に外部に向かって板状の突起を有する放熱フィンＲＡＤの複数群からなる放熱フィンＲＡＤ１，ＲＡＤ２，ＲＡＤ３，ＲＡＤ４が一体的に設けられている。これらのバックライト収納ケースＢＬＣ，バックライト収納部ＢＬ及び放熱フィンＲＡＤ１，ＲＡＤ２，ＲＡＤ３，ＲＡＤ４は、鉄合金，アルミニウム合金，マグネシウム合金または亜鉛合金などを主原料とするダイカスト（鋳造）法により一体成形されて製作されている。なお、これらの放熱フィンＲＡＤ１，ＲＡＤ２，ＲＡＤ３，ＲＡＤ４は、具体的には外観上、キャビネット部ＣＡＢの正面側から目立たないように設置される構造となっている。
【００１９】
このような構成において、バックライト収納ケースＢＬＣの背面に放熱フィンＲＡＤ１，ＲＡＤ２，ＲＡＤ３，ＲＡＤ４を突出させて一体成形することにより、放熱フィンＲＡＤ１，ＲＡＤ２，ＲＡＤ３，ＲＡＤ４による放熱面積を拡大させることができるので、バックライト収納ケースＢＬＣの内部に設置される冷陰極蛍光ランプＣＦＬ等の発熱に伴なう温度上昇を抑制することができ、これによって冷陰極蛍光ランプＣＦＬの冷却不足による輝度，発光効率の低下を確実に防止することができる。また、従来から行われていた放熱フィンなどの空冷用部品の後付けが不要となるので、部品点数を削減させ、製作コストを大幅に低減させることできる。
【００２０】
また、このような構成において、バックライト収納ケースＢＬＣの背面に放熱フィンＲＡＤ１〜ＲＡＤ４を一体成形して構成することにより、放熱効果を大きくすることができるので、バックライト収納部ＢＬの内部に多数本の冷陰極蛍光ランプＣＦＬの設置可能となり、その発光輝度，発光効率を向上させることができるので、高輝度の表示画面を得ることができる。
【００２１】
また、このような構成において、バックライト収納ケースＢＬＣ及び放熱フィンＲＡＤ１〜ＲＡＤ４をダイカスト法により一体成形することが可能となることにより、筐体としてのバックライト収納ケースＢＬＣを構成する主骨格の機械的強度が大きくなるので、大型化による自重増加に伴なう剛性を確保することができる。
【００２２】
また、このような構成において、バックライト収納ケースＢＬＣの背面に放熱フィンＲＡＤ１〜ＲＡＤ４を一体成形して構成することにより、バックライト収納ケースＢＬＣの背面から放熱フィンＲＡＤ１〜ＲＡＤ４が突き出す分、放熱フィンＲＡＤ１〜ＲＡＤ４の突起部分を除くモジュール自体の奥行き寸法を短く（薄く）構成できるので、装置の薄型化が容易に実現できる。
【００２３】
さらに、このような構成において、駆動回路基板ＤＲＢ，インバータ回路基板ＩＮＢ１，インバータ回路基板ＩＮＢ２及び電源回路基板ＰＳＢをバックライト収納ケースＢＬＣの背面に設置することにより、各回路基板に搭載される電子部品等の発熱源が外部に露出する構成となり、各種回路基板上の電子回路部品の温度特性が最良の環境に維持でき、温度上昇に影響されない安定した駆動動作が得られる。
【００２４】
図４は、本発明による液晶表示装置の他の実施例による構成を説明する液晶テレビ受像機の背面側から見た斜視図であり、前述した図３と同一部分には同一符号を付し、その説明は省略する。図４において、図３と異なる点は、バックライト収納ケースＢＬＣの上面には断面積の小さい針状の突起を有する放熱フィンＲＡＤの複数本からなる放熱フィンＲＡＤ５，ＲＡＤ６が左右対称に一体成形されて設置され、バックライト収納ケースＢＬＣの背面には板状の放熱フィンＲＡＤの複数枚からなる放熱フィンＲＡＤ７，ＲＡＤ８が高さ方向に沿って左右対称に一体成形されて設置されている。
【００２５】
このように構成される液晶表示装置は、バックライト収納ケースＢＬＣの上面に断面積の小さい針状の突起を有する放熱フィンＲＡＤ５，ＲＡＤ６を左右対称に設置することにより、放熱フィンＲＡＤ５，ＲＡＤ６の伝熱面積が大きくなり、放熱面積が拡大されるので、前述した放熱効果に加えてバックライト収納ケースＢＬＣの内側上部に滞留する熱を効率的に放熱させることができる。また、バックライト収納ケースＢＬＣの背面には板状の放熱フィンＲＡＤ７，ＲＡＤ８が高さ方向に沿って左右対称に設置することにより、前述した放熱効果に加えてバックライト収納ケースＢＬＣを構成する主骨格の機械的強度がさらに向上し、剛性が充分に確保されるので、バックライト収納ケースＢＬＣの単体での複数段の積層配置及び積層搬送などが可能となる。
【００２６】
なお、前述した各実施例においては、バックライト収納ケース及び放熱フィンを各種の合金材を原料とするダイカスト（鋳造）法により一体成形させて製作した場合について説明したが、本発明はこれに限定されるものではなく、ダイカスト法以外の成形方法として例えば金属材料に機械的に高圧力を付与する高圧プレス成形法などにより一体成形しても前述と全く同様の効果が得られる。
【００２７】
また、前述した各実施例においては、放熱部材として板状の放熱フィンまたは断面積の小さい針状の突起を有する放熱フィンを用いた場合について説明したが、本発明はこれに限定されるものではなく、薄い羽根状の放熱フィンを用いても前述と同様の効果が得られる。この場合もこの放熱フィンの伝熱面積が大きくなり、放熱面積が拡大されるので、空冷効果をさらに向上させることができる。
【００２８】
また、前述した各実施例においては、バックライト収納ケースの背面に設置する放熱部材としての複数の放熱フィンを左右対称に一体的に設置した場合について説明したが、本発明はこれに限定されるものではなく、駆動回路基板，インバータ回路基板，電源回路基板などが配設されていない相互間の空き領域または側面に設置すれば良く、また、その設置場所及び放熱フィンの形状については特に限定されるものでない。
【００２９】
また、前述した実施例においては、液晶表示パネルを用いた液晶テレビ受像機に適用した場合について説明したが、本発明はこれに限定されるものではなく、ＰＤＰ（プラズマディスプレイパネル）またはＦＰＤ（フラットパネルディスプレイ）などのバックライト収納ケースに適用しても前述と全く同様の効果が得られることは勿論である。
【００３０】
【発明の効果】
以上、説明したように本発明による液晶表示装置によれば、バックライト収納ケースの外面に放熱部材を一体成形して構成することにより、高輝度発光による冷陰極蛍光ランプの冷却機能向上，放熱部材等の取付け不要に伴なう部品点数の削減による製作コストの低減効果が得られるとともに、大型化による自重増加に伴なう剛性の確保が可能となるなどの極めて優れた効果が得られる。
【００３１】
また、本発明による液晶表示装置によれば、駆動回路基板，インバータ回路基板及び電源回路基板をバックライト収納ケースの背面に設置することにより、放熱部材の突起を除くモジュール自体の厚みを薄くすることができるので、液晶表示装置の奥行き寸法が薄くなり、薄型化が実現可能となるなどの極めて優れた効果が得られる。
【図面の簡単な説明】
【図１】本発明による液晶表示装置の一実施例による液晶テレビ受像機の外観を示す要部平面図である。
【図２】図１に示すバックライト収納ケースの内部構造を示す要部展開図である。
【図３】図１に示すバックライト収納ケースの背面構造を示す斜視図である。
【図４】本発明による液晶表示装置の他の実施例によるバックライト収納ケースの背面構造を示す斜視図である。
【図５】従来の液晶表示装置の構成を示す図である。
【符号の説明】
ＰＮＬ  液晶表示パネル
ＰＮＦ  パネルフレーム
ＢＬＣ  バックライト収納ケース
ＤＳＰ  表示部
ＳＴＤ  スタンド部
ＢＬ  バックライト収納部
ＣＦＬ  冷陰極蛍光ランプ
ＩＣ  電子回路部品
ＤＲＢ  駆動回路基板
ＩＮＢ１  インバータ回路基板
ＩＮＢ２  インバータ回路基板
ＰＳＢ  電源回路基板
ＲＡＤ  放熱フィン
ＲＡＤ１  放熱フィン
ＲＡＤ２  放熱フィン
ＲＡＤ３  放熱フィン
ＲＡＤ４  放熱フィン
ＲＡＤ５  放熱フィン
ＲＡＤ６  放熱フィン
ＲＡＤ７  放熱フィン
ＲＡＤ８  放熱フィン
【図１】
0004702762.tif 000002
【図２】
0004702762.tif 000003
【図３】
0004702762.tif 000004
【図４】
0004702762.tif 000005
【図５】
0004702762.tif 000006